(57)【要約】【課題】競技中バー３と接触した場合でも競技者の二次接触や復帰するバー３との接触を防止すること。ハードル１の設置を迅速に行なって陸上競技会の円滑運営に資すること。【解決手段】競技者の進行方向からみてバー３の手前側の面３ａをハードル１の支点１０に対し同一線上に配置し、バー３に外圧がかかりハードル１が倒れる際バー３の円軌道の接線方向を競技者の進行方向と一致させる。バー３は元位置より上方に突出せずに支点１０を中心に円軌道を描いて倒れるから、競技者がバー３に接触してもハードル１が倒れるだけであり、倒れる過程のバー３に競技者の足が引掛ることがない（二次接触の防止）。また倒れようとするバー３の元位置Ｐへの復帰がないので二次接触の防止が担保される。さらにグランドに表示されるマーカ３５に支点１０を位置合わせすれば簡単に設置できるから、不慣れな作業員でも設置が容易となり、競技会の運営が円滑となる効果がある。【選択図】図３
2007202583.tif 000002
【特許請求の範囲】
【請求項１】
陸上競技用のハードルにおいて、競技者の進行方向からみてバーの手前側の面をハードルの支点に対し同一線上に配置し、バーに外圧がかかりハードルが倒れる際バーの円軌道の接線方向を競技者の進行方向と一致させることを特徴とするハードル。
【請求項２】
請求項１記載のハードルにおいて、上記支点が連続線状に形成されることを特徴とするハードル。
【請求項３】
請求項１記載のハードルにおいて、上記支点が断続線状に形成されることを特徴とするハードル。
【請求項４】
請求項１記載のハードルにおいて、上記支点が点状に形成されることを特徴とするハードル。
【請求項５】
請求項１記載のハードルにおいて、上記バーを支持するバー受けが斜設されることを特徴とするハードル。
【請求項６】
請求項１記載のハードルにおいて、上記バーを支持するバー受けが屈設されることを特徴とするハードル。
【請求項７】
請求項１記載のハードルにおいて、上記支点をハードルのベースの先端部に設けることを特徴とするハードル。
【請求項８】
請求項１記載のハードルにおいて、上記バーの内部に縦断面視中央部方向に屈曲させた１対の補強リブを設けることを特徴とするハードル。
【発明の詳細な説明】
【技術分野】
【０００１】
本願発明は陸上競技のハードル競技に使用するハードルに関する。
【背景技術】
【０００２】
ハードル競技は、競技の公平性を保つため、ルール上、高さ、幅、全体重量等の製作基準が定められている。このうち、ハードルに関する製作基準として
「ハードルが倒れるためには、上端の中央部に少なくとも３．６ｋｇの力を加える必要があるように設計されていなければならない。ハードルは各種目に必要な高さに調節できるようにする。そしてそれぞれの高さにおいて、少なくとも３．６ｋｇ〜４ｋｇの力が作用するときは、転倒するように平衡調節できるよう錘をつけなければならない。」
がある。
【０００３】
従来のハードルとしては、例えば図７に示すように、競技者の進行方向からみてバー１０３の手前側面１０３ａが支点１００に対し競技者の進行方向（矢印Ａ方向）手前に配置されていた。図中、１０５は支柱、１０７はベースである。
【０００４】
【特許文献１】特開平１１−２４４５４８号公報
【０００５】
このため、競技中競技者がバーに触れると、バー１０３は一旦元位置Ｐより上方（矢印Ｂ’方向）に移動した後円軌道Ｒ’を描いて倒れる。
【０００６】
よって競技者はバー１０３に触れてバランスを失った状態で、上方に突出したバー１０３に足を引掛けるという危険が増大する。また、バー１０３が倒れようとする際元位置Ｐに復帰することがあり、このとき復帰するバー１０３に競技者が接触（二次接触）する危険もある。
【０００７】
そしてこのような接触事故を起こした競技者は損傷する場合があり、また、恐怖心のため、成績に悪影響を与えることがあった。
【０００８】
また競技者の進行方向からみてバー１０３の手前側の面１０３ａと支点１００の位置との間にギャップＧがあるため、ハードルが倒れるまでの競技者との接触時間が長くなり、結果として競技者の記録向上に悪影響を及ぼしていた。即ち、競技者は上級になるほどハードルの上面すれすれで飛ぶため、太股の裏側とハードルとの接触時間が問題となり、この接触時間を可及的に短縮することが記録向上に資することになる。
【０００９】
さらに上記ギャップＧがあるため、表示されるマーカ（図４参照）にバーの手前側の面１０３ａを正確に一致させることが至難であった。けだし支点をマーカに合わせてもバーの手前側の面１０３ａをマーカに合わせたことにはならないからである。
【００１０】
陸上競技会においては運営時間の関係上ハードルの設置を迅速に行なう必要があるところ、作業員が不慣れなときは、マーカへの位置合わせの困難性は大会の円滑な運営に支障をきたす場合があった。
【発明の開示】
【発明が解決しようとする課題】
【００１１】
本願発明は上記背景においてなされたもので、競技中バーと接触した場合でも接触による競技者の危険や復帰するバーとの二次接触を防止することを目的とする。
【００１２】
また競技中バーと接触した場合ハードルが効率よく倒れ競技者の記録向上に貢献することを目的とする。
【００１３】
さらにハードルの設置を迅速に行なって陸上競技会の円滑運営に資することを目的とする。
【課題を解決するための手段】
【００１４】
上記目的達成のため、本願発明によるハードルは、陸上競技用のハードルにおいて、競技者の進行方向からみてバーの手前側の面をハードルの支点に対し同一線上に配置し、バーに外圧がかかりハードルが倒れる際バーの円軌道の接線方向を競技者の進行方向と一致させることを特徴とする。
また、請求項１記載のハードルにおいて、上記支点が連続線状に形成されることを特徴とする。
また、請求項１記載のハードルにおいて、上記支点が断続線状に形成されることを特徴とする。
また、請求項１記載のハードルにおいて、上記支点が点状に形成されることを特徴とする。
また、請求項１記載のハードルにおいて、上記バーを支持するバー受けが斜設されることを特徴とする。
また、請求項１記載のハードルにおいて、上記バーを支持するバー受けが屈設されることを特徴とする。
また、請求項１記載のハードルにおいて、上記支点をハードルのベースの先端部に設けることを特徴とする。
また、請求項１記載のハードルにおいて、上記バーの内部に縦断面視中央部方向に屈曲させた１対の補強リブを設けることを特徴とする。
【発明の効果】
【００１５】
バー３は元位置Ｐより上方に突出せずに支点１０を中心に円軌道Ｒを描いて倒れるから、競技者がバー３に接触してもハードル１が倒れるだけであり、倒れる過程のバー３に競技者の足が引掛ることがない。
【００１６】
また倒れようとするバー３の元位置Ｐへの復帰が少ないので二次接触の低減が担保される。
【００１７】
また競技中バーと接触した場合ハードルが効率よく倒れるので競技者の記録向上に貢献する。
【００１８】
競技者の進行方向Ａからみてバー３の手前側の面３ａをハードル１ の支点１０に対し同一線上に配置しであるから、グランドに表示されるマーカ３５に支点１０を位置合わせすれば簡単に設置できるので、不慣れな作業員でも設置が容易となり、競技会の運営が円滑となる効果がある。
【発明を実施するための最良の形態】
【００１９】
次に、実施の形態を示す図面に基づき本願発明によるハードル１をさらに詳しく説明する。なお、便宜上同一の機能を奏する部分には同一の符号を付してその説明を省略する。
【００２０】
本願発明によるハードル１は、アクリロニトリル−ブタジエン−スチレン樹脂（以下、「ＡＢＳ」という）製のバー３と、アルミダイキャスト製のバー受け４を介して該バー３を支持する一対の支柱５，５と、該支柱５，５が固着される一対のアルミニウム製のベース７，７とからなる。上記支柱５，５と上記ベース７，７とはアルミダイキャスト製のジョイントブロックからなるジョイント部９，９にて接合される。１０はハードル１の支点であり、該ジョイント部９の先端、即ち、競技者の進行方向からみてバー３の手前側の面３ａと同一線上に形成される。１１は上記ジョイント部９、９間を連結するアルミニウム製の連結パイプである。
【００２１】
上記支柱５，５は、各々、アルミニウム製の中空のアウターパイプ１２と、該アウターパイプ１２に嵌挿されるアルミニウム製の中空のインナーパイプ１３とからなり、該アウターパイプ１２は該インナーパイプ１３に対し移動自在である。上記インナーパイプ１３内に各々回動支点１５にて回動自在となる位置決めロッド１７を設ける。各位置決めロッド１７の上端部には上記インナーパイプ１３の所定の孔１４に嵌合するラチェット１９を設け、各位置決めロッド１７の下端部をアルミダイキャスト製の連結ロッド２１，２１にて連結する。上記連結ロッド２１，２１は上記連結パイプ１１内に挿入され、中央部にフットスイッチ２３を設ける。該フットスイッチ２３の両端には夫々スプリング２５，２５を設けて、各連結ロッド２１，２１を上記支点１０方向に付勢する。２６はスプリングガイド、２７はリンクバーである。
【００２２】
上記各ベース７内には、夫々鋳鉄からなる規定量のバランスウェイト２８が内蔵される。該バランスウェイト２８は、ジョイント部９側端にスプリング２９が設けられ、反対側端にワイヤ３１が設けられており、支柱５，５の高さ調整のための動作と連動する。３３は上記ベース７の上面に突設される位置決め金具であり、上記ジョイント部９の裏面に設けられる嵌合孔３４に嵌合される。これによりハードル１を積層しても崩れにくくなり、台車等による運搬に際し便利である。３５はグランドに表示されるマーカであり、該マーカ３５に支点１０を位置合わせする。３８はエンドキャップである。
【００２３】
上記バー３は中空からなるが、図５に示すように内部に縦断面視中央部方向に屈曲させた１対の補強リブ３９を設ける。これにより、バー３に外圧がかかった場合、外圧のベクトルが上下方向に分散しバー３内に吸収されるから、バー３の破損が防止される。またこれにより、衝撃が吸収されるので競技者の怪我防止を図ることができる。
【００２４】
上記構成のハードル１を使用するには、まず、フットスイッチ２３を踏み込むと、リンクバー２７が下方に傾き、これにより連結ロッド２１，２１が内側方向に引き寄せられる。
【００２５】
連結ロッド２１，２１の移動分だけ、連結ロッド２１，２１に連結された位置決めロッド１７が下方に引張られるので位置決めロッド１７が回動支点１５を中心に回動する。これによりインナーパイプ１３の孔１４を介してアウターパイプ１２の孔に嵌合していたラチェット１９がインナーパイプ１３より離脱するので、アウターパイプ１２との係止が解除される。
【００２６】
バー３を移動させて高さを調整後、フットスイッチ２３の踏み込みを解除すると、スプリング２５の力により連結ロッド２１，２１が夫々外方に押されるので、位置決めロッド１７が回動し、ラチェット１９をインナーパイプ１３の孔１４を介してアウターパイプ１２の孔に係止する。
【００２７】
かくしてバー３の設定が終了し、この状態で競技が開始される。競技者がバー３に接触した場合、図３に示すように、バー３は元位置Ｐより徐々に低くなりながら上方に突出せずに支点１０を中心に円軌道Ｒを描いて倒れるから、倒れる過程のバー３に競技者の足が引掛ることがない。
【００２８】
しかも、バー３の倒れる際の軌跡Ｒは円運動であるため、円の接線方向に力が分散される。また、倒れる際の円軌道の接線方向は競技者の進行方向（矢印Ｂ方向）と一致する。よってハードル１は効率よく倒れ、ハードル１と競技者との接触時間が縮減されるから、接触した競技者のバランスが大きく崩れるのを防止する。
【００２９】
また倒れようとするバー３の元位置Ｐへの復帰が少ないので二次接触の低減が担保される。
【００３０】
よって競技者の競技成績の向上に貢献する。
【００３１】
競技者の進行方向からみてバー３の手前側の面３ａをハードル１の支点１０に対し同一線上に配置しであるから、グランドに表示されるマーカ３５に支点１０を位置合わせすればハードル１を簡単に設置することができる。よって不慣れな作業員でもハードル１の設置が容易となり、競技大会運営時間の短縮となり、競技会の運営が円滑となる効果がある。
【００３２】
本願発明は上記した実施の形態に限定されない。例えば、ジョイント部９に形成する支点１０の形状は任意とすることができる。上記した図４の実施例は支点１０を連続線状に形成した場合であるが、例えば、図６（Ａ）のように波状片１０ａを付設し、支点１０を形成する場合、図６（Ｂ）のようにジョイント部９に切欠部３７を設け、支点１０を断続状に形成する場合、図６（Ｃ）のようなジョイント部９の先端部を点状の支点１０に形成する場合が考えられる。
【００３３】
またバー３を支持するバー受け４は直角に屈設されていてもよく、支持角度θ（図２Ａに示す）は任意である。
【００３４】
また、バー３の内部構造としては必ずしも図５の如くでなくともよいが、図５のような補強構造とすれば競技者と接触した場合その衝撃吸収をすることができるので、競技者の進行妨害を最小限に抑え、競技成績に悪影響を与えないので望ましい。
【００３５】
また各部材の素材は任意であり、例えばバー受け４、連結ロッド２１を直鎖脂肪族ポリアミド（ナイロン）製とすることができる。
【００３６】
さらに、バー３の昇降機構は図示例に限らず、他の昇降機構を適用することができる。
【産業上の利用可能性】
【００３７】
本願発明は陸上競技のハードル競技に活用される。
【図面の簡単な説明】
【００３８】
【図１】本願発明によるハードルの実施の形態を示す正面図である。
【図２】（Ａ）は図１の一部断面右側面図、（Ｂ）は（Ａ）のＢ−Ｂ断面図、（Ｃ）は（Ａ）のＣ−Ｃ断面図、（Ｄ）は（Ａ）のＤ−Ｄ断面図である。
【図３】本願発明におけるハードルが倒れる状態を説明する図である。
【図４】本願発明におけるハードルを設置する状態を説明する図である。
【図５】図１のバーの縦断面図である。
【図６】（Ａ）は本願発明にかかるジョイント部の他の実施例を示す斜視図、（Ｂ）は同さらに他の実施例を示す斜視図、（Ｃ）は同さらに他の実施例を示す斜視図である。
【図７】従来のハードルの一例を示すとともに、その倒れる状態を表わす右側面図である。
【符号の説明】
【００３９】
１    ハードル
３    バー
３ａ  手前側の面
４    バー受け
５    支柱
７    ベース
９    ジョイント部
１０  支点
１１  連結パイプ
１２  アウターパイプ
１３  インナーパイプ
１４  孔
１５  回動支点
１７  位置決めロッド
１９  ラチェット
２１  連結ロッド
２３  フットスイッチ
２５  スプリング
２６  スプリングガイド
２７  リンクバー
２８  バランスウェイト
２９  スプリング
３１  ワイヤ
３３  位置決め金具
３４  嵌合孔
３５  マーカ
３７  切欠部
３８  エンドキャップ
３９  補強リブ
【図１】
2007202583.tif 000003
【図２】
2007202583.tif 000004
【図３】
2007202583.tif 000005
【図４】
2007202583.tif 000006
【図５】
2007202583.tif 000007
【図６】
2007202583.tif 000008
【図７】
2007202583.tif 000009